Podtech/llm-jp-corpus-v4-ja_patent huggingface dataset:
(57)【要約】【課題】種々の径の配管に対応することができ、取付け作業も容易な配管保温保冷材用固定バンドを提供することである。【解決手段】弾性性状を呈するように、ゼンマイ形状に巻いたテープ状の金属製の本体（１２）によって構成されていることを特徴とする固定用バンド（１０）。固定用バンドは、一方の側に反らせた本体をゼンマイ形状に巻くことによって形成される。本体は好ましくは、ステンレス鋼である。本体を熱処理することによって形成してもよい。【選択図】  図１
2004263787.tif 000002
【特許請求の範囲】
【請求項１】
配管を被覆する保温材又は保冷材を固定するためのバンドであって、
弾性性状を呈するように、ゼンマイ形状に巻いたテープ状の金属製の本体によって構成されていることを特徴とするバンド。
【請求項２】
一方の側に反らせた前記本体をゼンマイ形状に巻くことによって形成されることを特徴とする請求項１に記載のバンド。
【請求項３】
前記金属がステンレス鋼であることを特徴とする請求項１又は２に記載のバンド。
【請求項４】
前記本体を熱処理することによって形成されることを特徴とする請求項１に記載のバンド。
【発明の詳細な説明】
【０００１】
【発明の属する技術分野】
本発明は一般に、配管に保温材や保冷材を取付ける際に保温材や保冷材を固定するためのバンドに関する。より詳細には、本発明は、種々の径の配管に対応できる等の種々の利点を有する配管保温保冷材用固定バンドに関する。
【０００２】
【従来の技術】
給水管、給湯管、エアコン配管等の配管は、配管が温度変化や湿度変化等の環境変化を受けても配管の機能が損なわれることのないように、硬質ウレタンフォームや発泡ポリエチレンのような配管保温保冷材で被覆されることがある。このように配管保温保冷材で配管を被覆することにより、配管は、凍結や結露から保護される。配管保温保冷材は、一定の長さに切断された種々の種類のものが製品化されているが、配管保温保冷材で配管を被覆する際には、図５（ｂ）に示されるようなアルミニウム製の固定バンドを使用して、図５（ａ）に示されるように固定される。
【０００３】
【発明が解決しようとする課題】
しかしながら、上述のような型式の固定バンドでは、配管径に応じたサイズの固定バンドを準備しなければならず、取付け作業も容易ではないという不都合があった。また、このような型式の固定ハンドは、水平に設置されている配管に用いる場合は良いが、垂直に設置されている配管に用いると、時間の経過とともに、ずり落ちるおそれがある。
【０００４】
したがって、本発明は、種々の径の配管に対応することができ、取付け作業も容易な配管保温保冷材用固定バンドを提供することを目的としている。
【０００５】
【課題を解決するための手段】
本願請求項１に記載の配管保温保冷材用固定バンドは、弾性性状を呈するように、ゼンマイ形状に巻いたテープ状の金属製の本体によって構成されていることを特徴とするものである。
【０００６】
本願請求項２に記載の配管保温保冷材用固定バンドは、前記請求項１のバンドにおいて、一方の側に反らせた前記本体をゼンマイ形状に巻くことによって形成されることを特徴とするものである。
【０００７】
本願請求項３に記載の配管保温保冷材用固定バンドは、前記請求項１又は２のバンドにおいて、前記金属がステンレス鋼であることを特徴とするものである。
【０００８】
本願請求項４に記載の配管保温保冷材用固定バンドは、前記請求項１のバンドにおいて、前記本体を熱処理することによって形成されることを特徴とするものである。
【０００９】
【発明の実施の形態】
次に、図面を参照して、本発明の好ましい実施の形態について詳細に説明する。図１は、本発明の好ましい実施の形態に係る配管保温保冷材用固定バンドに半径方向外方に力を加えて或る程度広げた状態を示した斜視図、図２は、図１の配管配管保温保冷材用固定バンドに力を加えない状態を示した斜視図である。図１および図２において全体として参照符号１０で示される本発明の好ましい実施の形態に係る配管保温保冷材用固定バンドは、ゼンマイ形状に巻いた所定幅を有する細長いテープ状の金属製の本体１２によって構成されている。
【００１０】
本体１２は好ましくは、ステンレス鋼で形成される。本体１２をゼンマイ形状に巻くことによって、固定バンド１０は、半径方向外方に力を加えなければ収縮した状態（図２参照）にあり、半径方向外方に力を加えれば拡張した状態（図１参照）になるが、加えれた力を解放すると収縮した状態に戻る。すなわち、固定バンド１０は、バネのような弾性性状を呈する。
【００１１】
なお、弾性性状を呈するように固定バンド１０を形成するには、図３に示されるように、一方の側に反らせた本体１２をゼンマイ形状に巻くのがよい。或いは、本体１２を熱処理（焼入れ及び焼き戻し）することによって、本体１２に弾性性状を付与し、固定バンド１０を形成してもよい。
【００１２】
図４は、配管保温保冷材固定用バンド１０の使用法を示した図である。まず、配管を保温保冷材で被覆した後、固定用バンド１０に半径方向外方に力を加えて拡張状態にし、保温保冷材の所望個所に設置し、加えた力を解放すると、固定用バンド１０はその弾性性状のため収縮し、これにより、保温保冷材は配管にしっかりと固定される。
【００１３】
本発明は、以上の発明の実施の形態に限定されることなく、特許請求の範囲に記載された発明の範囲内で、種々の変更が可能であり、それらも本発明の範囲内に包含されるものであることはいうまでもない。
【００１４】
【発明の効果】
本発明によれば、種々の径の配管に対応することができるとともに、取付け作業が容易である。また、垂直に設置されている配管に用いても、ずり落ちる心配がない。また、本発明の固定バンドは、弾性性状を呈するので、繰り返し使用することができる。さらに、ステンレス鋼で形成した場合には、仕上がりが綺麗であり、錆びるおそれもない。
【図面の簡単な説明】
【図１】本発明の配管保温保冷材固定用バンドの拡張状態における斜視図である。
【図２】図１の配管保温保冷材固定用バンドの収縮状態における斜視図である。
【図３】図１の配管保温保冷材固定用バンドの本体が一方の側に反っている状態を示した図である。
【図４】図１の配管保温保冷材固定用バンドを使用して保温保冷材を配管に固定している状態を示した図である。
【図５】従来の保温保冷材の固定方法を示した図である。
【図１】
2004263787.tif 000003
【図２】
2004263787.tif 000004
【図３】
2004263787.tif 000005
【図４】
2004263787.tif 000006
【図５】
2004263787.tif 000007
(57)【要約】【課題】ゴミを袋へ投入し設置する時、種類別に置く２個型や３個型の容器は、容積が大きく、狭いキッチンでは邪魔となり適さない。又多数の袋を吊るハンガー式も幅が５０ｃｍ以上あり邪魔となる、これら皆使いがってが悪い。【解決手段】矩形枠〔１〕に複数の凸掛け部〔２〕と、各コーナーに止め具〔３〕を取付け、この対向部へＵ型の先端を折曲げ脚柱に横棒〔４〕を取付けたＵ字脚〔５〕を挿着し、次に脚〔５〕〔５〕の下側に止め具〔３〕を付け、ここへ両端を折曲げた横梁〔６〕を挿着した、ゴミ袋ハンガー。【選択図】            図１
2004284816.tif 000002
【特許請求の範囲】
【請求項１】
矩形枠〔１〕に複数の凸掛け部〔２〕と、各コーナーに中空の止め具〔３〕を取付け、この対向部へＵ型の先端を折曲げ脚柱に横棒〔４〕を取付けたＵ字脚〔５〕を挿着し、次に脚〔５〕〔５〕の下側に止め具〔３〕を付け、ここへ両端を折曲げた横梁〔６〕を挿着した、ゴミ袋ハンガー。
【発明の詳細な説明】
【０００１】
【発明の属する技術分野】
本発明は、分別するゴミ袋を吊下げるハンガーに関し、省スペースの中に多数の袋が吊れる構造のハンガーに関するものである。
【０００２】
【従来の技術】
現在ゴミの分別は、一般的に一個又は複数並列した容器や、又引っ掛けを複数対向に並列して袋を吊り下げる方法で、幅は５０ｃｍ以上のハンガーなどである。
【０００３】
【発明が解決しようとする課題】
分別ゴミを種別に入れる容器は、中に投入した袋を取り出す時、中で容積が広がり口から出しにくい。又種別にする２個、３個の並列型は容積が大きく、狭いキッチンでは邪魔となり適さない。又多種を吊るハンガー式も幅が５０ｃｍ以上で狭いキッチンでは邪魔となり、また袋は上に引き上げ取出す方法で、使いがってが悪い。
【０００４】
【課題を解決するための手段】
矩形枠〔１〕にそれぞれ複数の凸掛け部〔２〕と、各コーナーに止め具〔３〕を設ける。この対向部に、Ｕ型の先端を折曲げ脚柱に横棒〔４〕を取付けたＵ字脚〔５〕を挿着する。次に脚〔５〕〔５〕の下側に止め具〔３〕を取付け、ここへ両端を折曲げた横梁〔６〕を挿着した、ゴミ袋ハンガーである。
【０００５】
【発明の実施の形態】
以下、発明の実施の形態について説明する。
矩形枠〔１〕にそれぞれ複数の凸掛け部〔２〕と、各コーナーに中空の止め具〔３〕を設ける。この対向部に、Ｕ型の先端を横に折曲げ脚柱に横棒〔４〕を取付けたＵ字脚〔５〕を止め具〔３〕へ挿着し起立する。次に脚〔５〕〔５〕の下側に止め具〔３〕を取付け、ここへ両端を折曲げた横梁〔６〕を挿着して成る、ゴミ袋ハンガーである。
次に、本発明は以上のような構造で、これを使用するときは、枠内は袋の口をオープンにして２箇所吊り、量の多い物をここに入れる。更に両脇２箇所、前面２箇所へ吊り下げが出来、形状は、縦３０ｃｍ横３５ｃｍ高さ４５ｃｍとコンパクトで全体６種類の袋を吊り収納できる。取り出しは、前面から水平に引き出せるので、大きくかさ張った袋も容易に取り出しができる。又両脇に設けた横棒に雑巾などが掛けられる。
【０００６】
【発明の効果】
枠の四辺に複数の凸掛け部があるため、多種類のゴミ袋を省スヘースの枠台に、コンパクトに設置収納ができ、これにより狭いキッチンを有効に使用できる。又雑巾なども掛けるスペースを備え、多種多用途の機能を有し、大変使いがっての良い、ゴミ袋ハンガーである。
【０００７】
【図面の簡単な説明】
【図１】全体の斜視図
【図２】袋を掛けた状態を示す図面
【符号の説明】
１  矩形枠
２  凸掛け部
３  止め具
４  横棒
５  Ｕ字脚
６  横梁
【図１】
2004284816.tif 000003
【図２】
2004284816.tif 000004
(57)【要約】      （修正有）【課題】カレンダーの図画部分と日付部分との間に分離部分を設けることによって、図画部分をポスターとして残しておくことを可能にしたカレンダーを提供する。【解決手段】図画部分１と日付部分２との間の分離部分３にミシン目を入れることを特長とする。【選択図】図２
2004284336.tif 000002
【特許請求の範囲】
【請求項１】
図画と日付部分を分離できることを特長としたカレンダーの発明。
【発明の詳細な説明】
【０００１】
［発明の属する技術分野］
この発明は、境目にミシン目等を入れることによって、カレンダーの図画部分と日付部分を切り離すことを可能にしたカレンダーに関するものである。
【０００２】
［従来の技術］
従来は、カレンダーの図画部分と日付部分を分離できるものはなく、ハサミで切り離すなどしていたに過ぎなかった。
【０００３】
［発明が解決しようとする課題］
これは次のような欠点があった。
イ．カレンダーの図画部分をポスターとして認識し、月日が経過したあとも暫く壁に貼るなどの習慣が形成されていなかった。
ロ．図画部分と日付部分を切り離すためには、ハサミを用いるなど道具を必要とした。
ハ．絵画や映画の名場面などをカレンダーに用いて、市場流通性を増すための工夫の乏しいものでしかなかった。
本発明は、以上の欠点を解決するためになされたものである。
【０００４】
［課題を解決するための手段］
カレンダーの図画部分（１）と日付部分（２）を切り離すためミシン目等の分離部分（３）を設ける。
本発明は、以上の構成よりなるカレンダーである。
【０００５】
［発明の実施の形態］
以下、本発明の実施の形態を説明する。
イ．図画部分（１）と日付部分（２）のあるカレンダーに、分離部分（３）を設ける。
本発明は以上のような構成により成り立っている。
本発明を使用するときは、図画部分と日付部分を分離することによって、カレンダーの図画部分をポスターとして用いる。
【０００６】
［発明の効果］
本発明を使用することによって、日付部分から分離した絵画や写真をポスターとして残しておくことができる。個人写真がカレンダーとして加工される今日においては、適当なサイズのものは額縁に入れたり、アルバムに収めておくことも可能である。
【図面の簡単な説明】
【図１】本発明の平面図
【図２】本発明の斜視図
【符号の説明】
１  図面部分
２  日付部分
３  分離部分
【図１】
2004284336.tif 000003
【図２】
2004284336.tif 000004
(57)【要約】【課題】風呂等の壁面に絵を描いたり落書きしたりしようとしても、湿った壁面に描けなかったり、水落ちしてしまったり、水落ちしないものは描いたものを消すことができなかったりして、そうした遊びが困難であった。【解決手段】これを実現するために本発明は、即乾性のエナメル系の溶剤に色素剤を混ぜたもの等をサインペンの内容物とし、塗布した面は除光液等で拭き取ることが出来る。またペン先は小さな刷毛状になっており通常はペンの中に内蔵されているが使用時はペンの後部をノックオンすることでペン先に露出する。【選択図】            図２
2004284338.tif 000002
【特許請求の範囲】
【請求項１】
即乾性のエナメル系の溶剤に色素剤を混ぜたもの等をサインペンのインクとし、塗布した面は乾燥後、水等では色落ちしないが除光液等ではふき取ることが出来る。
【請求項２】
ペン先は小さな刷毛状になっており通常はペンの中に内蔵されているが使用時はペンの後部をノックオンすることでペン先に露出する。
【発明の詳細な説明】
【０００１】
本発明は、風呂等の壁面に絵やいたずら書きが出来ることを目的とする物である。よって湿った壁面にも塗布でき、水等では色落ちしないが特殊な溶剤で消すことが出来るものとする。
【０００２】
湿った壁面にも塗布できるように即乾性の物をインク素材とする。
【０００３】
インク素材は乾燥後、水落ちしないが除光液等で簡単に拭き取れるエナメル系の溶剤に色素剤を混ぜた物等を使用する。
【０００４】
ペン先はインクを塗れるように小さな刷毛状にするが、乾かないように通常はペンに内蔵され使用時にはペン先に露出されるようにノックオン式にする。
【図面の簡単な説明】
【図１】本発明の風呂用カラーサインペンの未使用時の全体図の例。
【図２】本発明の風呂用カラーサインペンの使用時の全体図の例。
【図１】
2004284338.tif 000003
【図２】
2004284338.tif 000004
(57)【要約】      （修正有）【課題】コンパスと定規だけで角２０°の作図をする方法を提供する。【解決手段】先ず最初に任意の円を描き、所定の順序に従ってコンパスと定規のみを用いて２０°となる角の作図を行う。【選択図】図１
2004284339.tif 000002
【特許請求の範囲】
【請求項１】
発明の手段に記述する方法による角２０°の作図法。
【発明の詳細な説明】
【０００１】
【発明の属する技術分野】
本発明はコンパスと定規による作図に関するものである。
【００２】
【発明が解決しようとする課題】
従来コンパスと定規のみでは２０°の角は作図できなかったが、本発明は新しい発想のもとに作図を完成させた。
【０００３】
【課題を解決するための手段】
本発明の作図法の順序を記述すると
１．Ｏを中心とする半径Ｒの任意の円を描く。
２．Ｏを通る水平線を引き、円との交点をそれぞれｘ，ｘ’とする。
３．Ｏを通る垂直線を引き、円との交点をそれぞれｙ，ｙ’とする。
４．Ｙを中心に半径Ｒの弧を描き、円との交点をそれぞれＡ，Ｂとする。
５．ｘ及びｘ’を中心とする半径Ｒの弧を、Ｏを基点として描き、円との交点をそれぞれＣ，Ｄとする。
６．ＡＤ及びＣＢに直線を引き、二つの直線の交点を、Ｅとする。
７．ｙ’を中心に半径ｙ’Ｅの弧を描くと、Ａ及びＢの点にぶつかる。この弧ＡＢをＦとする。
８．弧ＣＯと直線ＡＤとの交点をＧとし、弧ＤＯと直線ＣＢとの交点をＨとする。
９．ｙを中心に半径ＹＧの弧をＧを基点としてＣ方向に描きＦとの交点をＭとする。
１０．ｙを中心に半径ＹＨの弧をＨを基点としてＤ方向に描きＦとの交点をＭ’とする。尚９と１０の弧の延長線は合する。
１１．Ｍｙ’及びｙ’Ｍ’にそれぞれ直線を引くと、角Ｍｙ’Ｍ’は２０°となる。
【０００４】
【実施例】
課題を解決するための手段に従って書いたのが本図である。
【０００５】
【発明の効果】
新しい作図法として知的、教育的面での貢献とともに、角２０°の作図の応用により、正１８角形や正九角形の作図が可能となり、デザイン界にも影響を与える。又、数学書や辞典等に掲載が見込める。
【図面の簡単な説明】
【図１】本図は発明の実施図であり、完成図である。
【符号の説明】課題を解決する手段の項で記述したので省略す。
【図１】
2004284339.tif 000003
(57)【要約】【課題】無機質板の表面を良好に、しかもトラブルがほとんど生じずに艶消しする。【解決手段】塗装後の無機質板に、成形面が４０〜２００μｍの凹凸を有する成形型を接触させ、プレスして成形し、無機質板表面に成形面の凹凸を転写する。【選択図】          なし【特許請求の範囲】
【請求項１】
塗装後の無機質板に、成形面が４０〜２００μｍの凹凸を有する成形型を接触させ、プレスして成形し、無機質板表面に成形面の凹凸を転写することを特徴とする無機質板の成形方法。
【請求項２】
成形面が４０〜２００μｍの凹凸を有することを特徴とする無機質板成形用の成形型。
【発明の詳細な説明】
【０００１】
【発明の属する技術分野】
この出願の発明は、無機質板の成形方法とこれに用いる成形型に関するものである。さらに詳しくは、この出願の発明は、無機質板の表面を良好に、しかもトラブルがほとんど生じずに艶消しすることのできる無機質板の成形方法とこれに用いる成形型に関するものである。
【０００２】
【従来の技術】
外壁材、屋根材、塀材等の外装材に用いられる無機質板は、セメントを主成分とし、補強繊維、骨材等が適宜添加された水硬性材料から形成されている。この無機質板については、表面地合を改善し、また、自然石風等の風合いのある質感を現出させるために、表面の艶消しが行われている。
【０００３】
艶消しには、たとえば、砂やビーズ等の骨材を混ぜた塗料を無機質板の表面に塗装することが知られている（たとえば、特許文献１参照）。
【０００４】
【特許文献１】
特開昭５５−１４０７７９号公報
【０００５】
【発明が解決しようとする課題】
しかしながら、塗装による艶消しでは、塗料に骨材を混入するため、塗装品質にバラツキが生じやすく、製品不良が多く、また、塗装設備にトラブルが発生することがある。
【０００６】
この出願の発明は、このような事情に鑑みてなされたものであり、無機質板の表面を良好に、しかもトラブルがほとんど生じずに艶消しすることのできる無機質板の成形方法とこれに用いる成形型を提供することを解決すべき課題としている。
【０００７】
【課題を解決するための手段】
この出願の発明は、上記の課題を解決するものとして、第１には、塗装後の無機質板に、成形面が４０〜２００μｍの凹凸を有する成形型を接触させ、プレスして成形し、無機質板表面に成形面の凹凸を転写することを特徴とする無機質板の成形方法を提供する。
【０００８】
また、この出願の発明は、第２には、成形面が４０〜２００μｍの凹凸を有することを特徴とする無機質板成形用の成形型を提供する。
【０００９】
【発明の実施の形態】
この出願の発明の無機質板の成形方法では、塗装後の無機質板に、成形面が４０〜２００μｍの凹凸を有する成形型を接触させ、プレスして成形し、無機質板表面に成形面の凹凸を転写する。
【００１０】
また、この出願の発明の無機質板成形用の成形型は、成形面が４０〜２００μｍの凹凸を有する。
【００１１】
このように、成形面が４０〜２００μｍの凹凸を有する（Ｒｍａｘ＝４０〜２００μｍ）成形型を、塗装後の無機質板に接触させ、プレスすることにより、無機質板の表面に成形型と同等の４０〜２００μｍの凹凸が転写により形成され、たとえば梨地状等となり、艶が消失する。無機質板表面の艶消しは、成形型によるプレス成形により行われるため、従来の骨材混入の塗料を塗装する場合に比べ、品質が一定し、艶消しが良好に行われ、質感が向上する。また、塗装設備への負担が解消され、艶消しに際してのトラブルは十分に抑制される。
【００１２】
この出願の発明において、無機質板は、押出成形品、抄造品のいずれとすることができる。押出成形品の場合には、成形型は、押出成形される無機質板の表面に連続的に模様付けするロール型とすることができる。抄造品の場合には、脱水プレス時に使用されるプレス型とすることができる。
【００１３】
なお、この出願の発明において、成形型の成形面の凹凸（Ｒｍａｘ）を４０〜２００μｍとするのは、艶消しを良好に行うことばかりでなく、成形型の離型性をも考慮に入れてのことである。
【００１４】
すなわち、成形型の成形面の凹凸（Ｒｍａｘ）が４０μｍ未満では、塗装後の無機質板の表面への転写が小さすぎて艶消しすることができず、また、成形型の成形面と無機質板が密着し、離型性が悪くなる。なお、当然であるが、成形型の成形面の凹凸（Ｒｍａｘ）が４０μｍ未満では、無機質板の表面地合は改善されない。
【００１５】
成形型の成形面の凹凸（Ｒｍａｘ）が２００μｍを超えると、転写により無機質板表面に形成される凹凸に逆テーパーが生じやすく、その結果、成形型が無機質板から離れにくくなり、離型性が悪くなる。
【００１６】
もちろん、この出願の発明は、以上の実施形態によって限定されるものではない。無機質板を形成する材料、成形型の形態等の細部については様々な態様が可能であることはいうまでもない。
【００１７】
【発明の効果】
以上詳しく説明した通り、この出願の発明によって、無機質板の表面を良好に、しかもトラブルがほとんど生じずに艶消しすることができる。
(57)【要約】【課題】石油ホームタンク天板上設置の通気管は、冬季、積雪中に埋没が状態化し、その際、該通気管は、小径、裸管のため、寒気等の悪条件時、先端部が凍結、その結果、タンク内外の通気遮断、送油停止、暖房機器等の完全機能停止となる事故が現出。上記改善のため、凍結防御カバー付通気管を提供する物である。【解決手段】管状直立型とした通気管１先端を、積雪から隔離し、且つ、空気溜めスペース４を設ける目的のために、円筒形状のカバー２を上方から被せて二重殻状とし、カバー２内の通気管上方部位に通気孔３を設けることにより凍結事故を防止する。【選択図】    図１
2004284632.tif 000002
【特許請求の範囲】
【請求項１】
上方部位に通気孔３を設けた管状直立型通気管１に、円筒形状のカバー２を上方から被せ二重殻状となる凍結防御カバー付石油ホームタンク通気管。
【発明の詳細な説明】
【０００１】
【発明の属する技術分野】
本発明は、石油ホームタンク付属機器の通気管に関する。
【０００２】
【従来の技術】
従来の通気管は、高さ３００ｍｍ程度、管の直径２０ｍｍ程度の単体裸管を、タンク天板上に立ち上げている。
【０００３】
図８に図示しているのが従来の通気管１１である。
【発明が解決しようとする課題】
従来の通気管には以下のような欠点があった。
通気管の機能は、タンク内外圧を通気により調整し、給油および暖房機器等への送油を円滑にするものであるが、該通気管は冬季間、タンク天板上の積雪に埋没するのは常態化している。その際、通気管は小径で裸管のため、特に暖気、寒気の差が大きい天候状態の際に先端部は凍結密閉し、タンク内外の通気遮断事故が発生し、その結果、送油は停止、暖房機器等は完全機能停止状態となる事故が発生し、  厳寒期において突然の暖房切れは、特に高齢者、病人等、いわゆる弱者家庭は、対処行動に機敏さを欠き、大きな問題があった。
【０００４】
【課題を解決するための手段】
管状直立型の通気管１先端を、積雪から隔離し、且つ、空気溜めスペース４を設ける目的のために、円筒形状のカバー２を上方から被せて二重殻状とし、カバー２内の通気管上方部位に通気孔３を設けることにより凍結事故を防止する。
【発明の実施の形態】
以下、図面の実施例に従って本考案の実施形態について説明する。
【０００５】
図１は、本発明の外観斜視図である。
直立型通気管１の上部に通気孔３を設け、該通気管１に、凍結防御用カバー２を被せたものであり、  該通気管１はホームタンク連結部６により、タンク本体８と一体固定化する。
【０００６】
図２は、断面図であり、上部を通気管１とカバー２の連結部５としている。
【０００７】
なお、本発明通気管１全体が積雪に埋没した際も、雪中を通して通気を取り込む空気溜めスペース４のダム的調節作用により、通油遮断事故は防止される。
【０００８】
夏季等、少量発生が予測されるタンク内石油の気化分に対し、ベーパー抜き孔７を設けた。
【０００９】
図７は、本発明の直立型通気管１の石油ホームタンク本体８への装着状態を示すものである。
【００１０】
図３は、底面図であり、直立通気管１は、タンク内部と連結し、内外の通気を調節する。
【００１１】
空気溜めスペース４として、通気管口径を数倍上回る形状とした空気溜め容量を設け、積雪埋没時の通気に安定性を持たせた。
【００１２】
通気孔３の設定部位を、通気管先端とする形状も考えられ、その場合は、図４斜視図、図５断面図および図６底面図の通り、通気管とカバーの連結部５により一体固定化する。
【発明の効果】
上述したように、通気管が積雪埋没状態にあっても、通気管先端は凍結防御用カバー内に収容されているため、凍結は防御され、従って、通気遮断、送油停止による暖房機器等の機能停止事故は防止できる。
【図面の簡単な説明】
【図１】通気孔を管の上方胴部位に設けた本発明の通気管斜視図。
【図２】同上断面図
【図３】同上底面図
【図４】通気孔を管の先端部とした本発明の通気管斜視図。
【図５】同上断面図
【図６】同上底面図
【図７】本発明通気管の石油ホームタンク本体への装着状態図。
【図８】従来の通気管の石油ホームタンク本体への装着状態図。
【符号の説明】
１  直立型通気管
２  凍結防御用カバー
３  通気孔
４  空気溜めスペース
５  通気管とカバーの連結部
６  ホームタンク連結部
７  ベーパー抜き孔
８  石油ホームタンク本体
９  給油口
１０  油糧計
１１  従来の通気管
【図１】
2004284632.tif 000003
【図２】
2004284632.tif 000004
【図３】
2004284632.tif 000005
【図４】
2004284632.tif 000006
【図５】
2004284632.tif 000007
【図６】
2004284632.tif 000008
【図７】
2004284632.tif 000009
【図８】
2004284632.tif 000010
(57)【要約】【課題】テープが不要になるため、貼付面への影響を考慮することなく、また、脱落することも無い、貼付や反転といった作業が不要で、かつ、目視による取り付け確認が容易なため、作業工数も低減できる照明器具包装体を提供する。【解決手段】六面体状を呈しその一方に開閉自在な開口を有する包装箱１を備える。前記開口から挿入され前記包装箱１の底面板上に載置される主仕切り板２を備える。前記主仕切り板２における係合孔３の個所に係合される包装用アダプタ４を備える。前記主仕切り板２の板面上に搭載されかつ前記包装用アダプタ４によって横ずれが制限される照明器具本体５を備える。前記照明器具本体５を天井面へ着脱自在に装着するための取付用アダプタ６を備える。前記取付用アダプタ６は手で操作するためのスライド可能な一対の摘み片７と前記スライドに伴なって進退し前記器具本体５と着脱自在に嵌合する一対の嵌合片８を具備する。取付用アダプタ６を前記包装用アダプタ４の中央上部に配置する。前記一対の摘み片７が前記スライドによって前記包装用アダプタ４と着脱自在に係合する。【選択図】    図１
2004284674.tif 000002
【特許請求の範囲】
【請求項１】
六面体状を呈しその一方に開閉自在な開口を有する包装箱を備え、前記開口から挿入され前記包装箱の底面板上に載置される主仕切り板を備え、前記主仕切り板における係合孔の個所に係合される包装用アダプタを備え、前記主仕切り板の板面上に搭載されかつ前記包装用アダプタによって横ずれが制限される照明器具本体を備え、
前記照明器具本体を天井面へ着脱自在に装着するための取付用アダプタを備え、前記取付用アダプタは手で操作するためのスライド可能な一対の摘み片と前記スライドに伴なって進退し前記器具本体と着脱自在に嵌合する一対の嵌合片を具備し、取付用アダプタを前記包装用アダプタの中央上部に配置し、前記一対の摘み片が前記スライドによって前記包装用アダプタと着脱自在に係合するようになしたことを特徴とする照明器具包装体。
【発明の詳細な説明】
【０００１】
【発明の属する技術分野】
本発明は、照明器具の包装形態に関する。
【０００２】
【従来の技術】
従来の包装形態では、取付用アダプタを他部品に干渉しない器具本体中央開口部にテープで固定していた。
また、円錐柱状を成す包装用アダプタを使用した包装形態では、包装用アダプタの内面側に挟持固定していた。
【０００３】
【発明が解決しようとする課題】
上記従来技術のテープで固定する包装形態は、貼付作業が必要で、また、テープの粘着力が弱まり、剥がれる可能性もあった。さらに、テープの粘着力を強めれば貼付面の塗装などに悪影響を及ぼす可能性もあった。包装用アダプタを使用した包装形態では、包装作業時に反転作業が生じてしまった。本発明はこの問題を解決するためのものである。
【０００４】
【課題を解決するための手段】
上記課題を解決するため、包装用アダプタの中央上部にＴ字の係合柱を設け、取付用アダプタの一対の嵌合片をスライドし、前記スライドにより一対の摘み片が前記係合柱に着脱自在に係合するようにした。
【０００５】
【発明の実施の形態】
図１〜図３を用いて本発明の実施形態について説明する。図１に示す包装体は、六面体状を呈しその一方に開閉自在な開口を有する包装箱１を備え、前記開口から挿入され前記包装箱１の底面板上に載置される主仕切り板２を備え、前記主仕切り板２における係合孔３の個所に係合される包装用アダプタ４を備え、前記主仕切り板２の板面上に搭載されかつ前記包装用アダプタ４によって横ずれが制限される照明器具本体５を備える。
前記照明器具本体５を天井面へ着脱自在に装着するための取付用アダプタ６を備え、前記取付用アダプタ６は手で操作するためのスライド可能な一対の摘み片７と前記スライドに伴なって進退し前記器具本体５と着脱自在に嵌合する一対の嵌合片８を具備し、取付用アダプタ６を前記包装用アダプタ４の中央上部に配置する。
図２に示す前記包装用アダプタ４は、樹脂製で略円錐柱を成し、上部中央にＴ字柱９とＩ字柱１０を設け、さらに、前記Ｔ字柱９とＩ字柱１０の間に凸状穴１１を設け、下側側面に前記主仕切り板２の係合孔３と係合する係合爪１２を複数設ける。
図３において、包装状態を示す。前記包装用アダプタ４は、前記主仕切り板２と係合し、上方から前記照明器具本体１を乗せる。さらに取付用アダプタ６を前記照明器具本体５の取付時使用状態から９０度立たせ、前記一対の嵌合片８をスライドさせ、前記一対の摘み片７が前記スライドによって前記包装用アダプタ４の前記Ｔ字柱９と着脱自在に係合し、前記凸状穴１１に配置する。
【０００６】
【発明の効果】
本発明によれば、テープが不要になるため、貼付面への影響を考慮することなく、また、脱落することも無い。さらに、貼付や反転といった作業が不要で、かつ、目視による取り付け確認が容易なため、作業工数も低減できる。
【図面の簡単な説明】
【図１】本発明に係る照明器具包装体の全体斜視図。
【図２】その包装用アダプタの斜視図。
【図３】その包装用アダプタと取付用アダプタの構成を示す斜視図。
【符号の説明】
１：包装箱、２：主仕切り板、３：係合孔、４：包装用アダプタ、５：照明器具本体、６：取付用アダプタ、７：摘み片、８：嵌合片、９：Ｔ字柱、１０：Ｉ字柱、１１：凸状穴、１２：係合爪１２
【図１】
2004284674.tif 000003
【図２】
2004284674.tif 000004
【図３】
2004284674.tif 000005
(57)【要約】【課題】カップ型即席食品において出来上がり時間を時計で計るのは面倒であり、美味しく食べられる調理時間を逃してしまう。【解決手段】容器の蓋に吸水変色紙を用い、飲食前に２２をお箸等で表示専用の穴を開け、その後２４から２３まで蓋を開けお湯を注ぐことで湯気により吸水変色紙が、中心から毛細管現象で徐々に変色して、食べごろライン２１まで変色することで、食べごろを知らせることができるものである。【選択図】    図２
2004284675.tif 000002
【特許請求の範囲】
【請求項１】
お湯を注ぎ数分間後に飲食する即席食品の経過時間、すなわち出来上がり時間を知らせる方法として吸水変色紙を利用した表示方法。
【請求項２】
前記請求項１に記載の表示方法において、吸水変色紙を中心に上下をラミネートすることで、賞味期限内変色することなく、飲食時はラミネートごと貫通する穴を開けることで、注いだお湯の湯気で毛細管現象により徐々に変色して経過時間を表示することを特徴とした容器の上蓋。
【請求項３】
前記請求項２に記載の容器の上蓋は、飲食前蓋に表示専用の穴を開けた後従来通りお湯を注ぐことで湯気により吸水し、先程開けた穴より放射状に徐々に変色して、食べごろの表示をする容器の上蓋。
【発明の詳細な説明】
【０００１】
【発明の属する技術分野】
本発明は、吸水変色紙を利用したカップ型即席食品の容器上蓋に関する。
【０００２】
【発明が解決しようとする課題】
屋外においても飲食されることの多い、カップ型即席食品を飲食する際時計で時間を計測するのは面倒で、つい食べごろを逃してしまう。
【０００３】
【課題を解決するための手段】
上記課題を解決するために、本発明による上蓋を用い表示により食べごろを知らせることで、時間を気にすることなく食べごろに飲食することが可能となる。
【０００４】
【発明の実施の形態】
以下、本発明の実施の形態を、インスタントラーメンを例に取り添付図面を参照して説明する。
図１で示すようなインスタントラーメンにおいて、本発明による上蓋２は、天面の印刷部にお箸等で穴を開ける２２のマークが有り、穴を開けることで図３の断層全てに破れが生じ、３２の吸水変色紙が吸水可能になる。
その後２４から２３まで蓋を開け、お湯を注ぐと湯気により２２の先程開けた穴より毛細管現象で徐々に吸水し放射状に変色する。
変色域が２１のラインまで達したら出来上がりだということを知らせるものである。
【０００５】
【発明の効果】
本発明の上蓋を用いることで、どのような場所でも時間を気にすることなく即席食品を、食べごろにおいしく飲食することが可能となる。
【０００６】又、本発明の上蓋は既存の上蓋の印刷紙を、吸水変色紙に換えただけのシンプルな構造のため、安価に既存の製造方法を変える事無く便利なものが提供できる。
【０００７】
【図面の簡単な説明】
【図１】本発明の上蓋を用いたインスタントラーメン容器の斜視図
【図２】本発明の上蓋の上面図
【図３】本発明の上蓋の断面図
【符号の説明】
１  カップ容器
２  本発明上蓋
２１  出来上がり表示ライン
２２  表示専用穴開口目印
２３  注湯時開放終目印
２４  注湯時開放始目印
３１  トップコート
３２  吸水変色紙
３３  アルミ蒸着
３４  カップ接合糊
【図１】
2004284675.tif 000003
【図２】
2004284675.tif 000004
【図３】
2004284675.tif 000005
(57)【要約】【課題】開封が簡単で、確実に再封緘できる包装箱を提供する。【解決手段】各一対の側壁３及び端壁４並びに底壁２０を備えた身１と、各一対の蓋側板８及び蓋端板９並びに天壁２１を備えた蓋２とから成り、蓋側板８の下縁から延出した折込板１３に、側壁３の上縁から延出した係止片１４を切り込ませ、係止片１４と折込板１３との境界を繋部１５付きの切目線１６とし、折込板１３を係止片１４と共に側壁３と蓋側板８の間に折り込んで、身１に蓋２を被せるようにする。身１に対して蓋２を捻ると、繋部１５が切れて、蓋２を開くことができ、蓋２を身１に被せると、係止片１４が折込板１３に係合して、蓋２が身１にロックされる。【選択図】  図２
2004284621.tif 000002
【特許請求の範囲】
【請求項１】
各一対の側壁３及び端壁４並びに底壁２０を備えた身１と、各一対の蓋側板８及び蓋端板９並びに天壁２１を備えた蓋２とから成り、蓋側板８の下縁から延出した折込板１３に、側壁３の上縁から延出した係止片１４を切り込ませ、係止片１４と折込板１３との境界を繋部１５付きの切目線１６とし、折込板１３を係止片１４と共に側壁３と蓋側板８の間に折り込み、蓋側板８及び蓋端板９をそれぞれ側壁３及び端壁４の外側に重ねて身１に蓋２を被せた捻り開封式包装箱。
【発明の詳細な説明】
【０００１】
【発明の属する技術分野】
この発明は、捻ると開封でき、再封緘も可能な包装箱に関するものである。
【０００２】
【従来の技術】
例えば、下記非特許文献１には、図７に示すように、各一対の側壁５３及び端壁５４にジッパ形の切目線を入れて箱の全周に亘る引裂帯５５を形成し、この引裂帯５５の切り取りに伴い、身５１と蓋５２に分離して開封し、また、図８に示すように、端壁５４に入れた斜めの罫線５６沿いに身５１の開口部を絞ると、身５１に蓋５２を被せて再封緘できるようにした包装箱が記載されている。
【０００３】
【非特許文献１】
特許庁公報  周知・慣用技術集（包装産業）、昭和５３年１２月２０日発行、ｐ．２９４
【０００４】
【発明が解決しようとする課題】
しかしながら、上記のような包装箱では、引裂帯５５を箱の全周に亘って切り取らなければ開封できず、再封緘した状態で、箱を持ち運ぼうとして蓋５２を持ち上げると、身５１から蓋５２が抜けてしまうという問題がある。
【０００５】
そこで、この発明は、開封が簡単で、確実に再封緘できる包装箱を提供することを課題とする。
【０００６】
【課題を解決するための手段】
上記課題を解決するため、この発明に係る包装箱は、各一対の側壁及び端壁並びに底壁を備えた身と、各一対の蓋側板及び蓋端板並びに天壁を備えた蓋とから構成し、蓋側板の下縁から延出した折込板に、側壁の上縁から延出した係止片を切り込ませ、係止片と折込板との境界を繋部付きの切目線とし、折込板を係止片と共に側壁と蓋側板の間に折り込み、蓋側板及び蓋端板をそれぞれ側壁及び端壁の外側に重ねて身に蓋を被せたのである。
【０００７】
この包装箱を最初に開封する際には、身に対して蓋を捻ると、係止片と折込板との境界をなす切目線の繋部が切れて、蓋を開くことができる。
【０００８】
また、再封緘する際には、身の開口部を絞り、蓋を身に被せると、係止片が折込板の端縁に係合して、蓋が身にロックされ、確実に再封緘することができる。
【０００９】
【発明の実施の形態】
以下、この発明の実施の形態を添付図面に基づいて説明する。
【００１０】
図１に示すように、この包装箱のブランクは、身１と蓋２の部分から成り、身１の部分では、各一対の側壁３及び端壁４が交互に連設され、一方の側壁３の外側縁には継代５が、側壁３の下縁には底板６が、端壁４の下縁には底片７がそれぞれ連設されている。
【００１１】
蓋２の部分では、各一対の蓋側板８及び蓋端板９が交互に連設され、一方の蓋側板８の外側縁には継代１０が、蓋側板８の上縁には蓋板１１が、蓋端板９の上縁には蓋片１２がそれぞれ連設されている。
【００１２】
蓋側板８の下縁から延出した折込板１３には、側壁３の上縁から延出した係止片１４が切り込まれ、係止片１４と折込板１３との境界は、繋部１５付きの切目線１６とされている。
【００１３】
端壁４の上部には、上方へかけて内側へ傾斜する罫線１７と、その下端を繋ぐ弧状の罫線１８とが入れられ、側壁３の上部には、上方へかけて内側へ傾斜する罫線１９が入れられている。
【００１４】
このようなブランクを組み立てるには、図２及び図３に示すように、折込板１３を係止片１４と共に側壁３と蓋側板８の間に折り込み、折込板１３を蓋側板８の裏面に貼り合わせ、各一対の側壁３及び端壁４と、各一対の蓋側板８及び蓋端板９とを角筒状に折り曲げ、継代５，１０を介して接合する。
【００１５】
次いで、底片７を内側へ折り曲げ、底板６同士を貼り合わせて底壁２０を形成し、箱内に商品を収納して、蓋片１２を内側へ折り曲げ、蓋板１１同士を貼り合わせて天壁２１を形成する。
【００１６】
このように商品を包装した状態では、蓋側板８及び蓋端板９がそれぞれ側壁３及び端壁４の外側に重なり、折込片１３と係止片１４とが繋がった状態で、身１に蓋２が被せられて封緘されているので、商品の抜き取り等が防止される。
【００１７】
そして、この包装箱を開封する際には、身１に対して蓋２を捻ると、係止片１４と折込板１３との境界をなす切目線１６の繋部１５が切れて、図４に示すように、蓋２を開くことができる。
【００１８】
一方、この包装箱を再封緘する際には、身１の開口部を罫線１７，１８，１９沿いに絞り、蓋２を身１に被せると、折目の反発でやや外側に迫り出した係止片１４が折込板１３の端縁に係合して、図５及び図６に示すように、蓋２が身１にロックされ、確実に再封緘することができる。
【００１９】
そしてまた、この再封緘状態から蓋２を開ける際には、最初の開封と同様に、身１に対して蓋２を捻るだけで、係止片１４と折込板１３の係合が外れるので、蓋２を簡単に開くことができる。
【００２０】
【発明の効果】
以上のように、この発明に係る包装箱は、身の側壁から延出した係止片と蓋の折込板との境界を、繋部付きの切目線としたので、身に対して蓋を捻るだけで、切目線の繋部が切れて、蓋を開くことができ、蓋を身に被せると、係止片が折込板の端縁に係合して、蓋が身にロックされ、確実に再封緘することができる。
【図面の簡単な説明】
【図１】この発明の実施形態に係る包装箱のブランクを示す図
【図２】同上の初期封緘状態を示す斜視図
【図３】同上の縦断側面図
【図４】同上の開封状態を示す斜視図
【図５】同上の再封緘状態を示す斜視図
【図６】同上の縦断側面図
【図７】従来の包装箱を示す斜視図
【図８】同上の再封緘状態を示す斜視図
【符号の説明】
１  身
２  蓋
３  側壁
４  端壁
８  蓋側板
９  蓋端板
１３  折込板
１４  係止片
１５  繋部
１６  切目線
２０  底壁
２１  天壁
【図１】
2004284621.tif 000003
【図２】
2004284621.tif 000004
【図３】
2004284621.tif 000005
【図４】
2004284621.tif 000006
【図５】
2004284621.tif 000007
【図６】
2004284621.tif 000008
【図７】
2004284621.tif 000009
【図８】
2004284621.tif 000010
(57)【要約】【課題】石油タンク天板部及び該部位設置の給油口、エアー抜き管、油量計は露出のため、降雨、積雪から派生する給油口金の凍結、タンク内への水分混入、発錆の促進、油量計埋雪による視認障害等に対し、該防止、改善のため、覆い及び積雪防止を目的とした石油タンク屋根を提供するものである。【解決手段】石油タンク４の天板部５に、覆い及び積雪防止を目的として、三角錐状の片面を開閉式とした屋根１を取り付ける。【選択図】    図１
2004284630.tif 000002
【特許請求の範囲】
【請求項１】
石油タンク４の天板部５に三角屋根１を取り付け、該屋根１の給油口側に開閉戸２を設けた石油タンク屋根。
【発明の詳細な説明】
【０００１】
【発明の属する技術分野】
本発明は、石油タンク屋根の改良、特に該屋根の形状および機構にかかわるものである。
【０００２】
【従来の技術】
従来の石油タンク屋根は、給油作業時に給油ホース先端器具のノズルガンを、天板部位に設置されている給油口に差し込む作業上の制約面から、天板部位と屋根との間に相応の空間を確保する必要があり、従って浮屋根平板状方式としていた。
【０００３】
【発明が解決しようとする課題】
従って、従来の石油タンク屋根には以下のような欠点があった。
雪の降る状態は、いわゆる垂直落下するのは少なく、斜めおよび横風まじりの降雪が大半であるが、従来の浮屋根方式は、天板と屋根との間の給油作業スペースの空間を要し、そのため、空間から天板上に降雪が堆積し、屋根の効果は大きく減殺され、従って、給油口金の凍結、給油時の雪塊タンク内混入、油量計の埋雪、発錆等の防止策には充分な効果は発揮していなく、又給油作業者は、フルタンク給油時の微量調整を、給油口から目視しながら行うが、この際庇が大きな障害になっている。
さらにタンク屋根は、平板状のため降雪が堆積し、その屋根上の高所な除雪作業を必要とし、これも雪国の、特に高齢者住まいにとって負担になっている。
以上の課題に対し、本発明は解決、改善をするためになされたものである。
【０００４】
【課題を解決するための手段】
タンク胴体と脚との結合ボルトを利用し、接続固定具３により連結させ、天板部位に滑雪可能な傾斜度を持ち、且つ片面開閉式の三角屋根１を取付ける。
但し油量計の日常の視認性確保のため、天板部５と三角屋根１の庇下辺とに、適当な間隔を確保する。
【０００５】
【発明の実施の形態】
以下、図面の実施例に従って本発明の実施形態について説明する。
【０００６】
第１図は全体の設置状態および給油作業時状態を示す外観斜視図である。
石油タンク４に三角屋根１を接続固定具３で取り付け、一体とする。
該屋根は従来露出していた天板部５および同部位設置の給油口６、エアー抜き管、油量計を完全に覆う三角錐の形状を有し、これにより降雨、降雪、積雪から防御する。
給油時は、蝶番等による支点可動自在な開閉戸２を開放し、作業空間を確保する構造とする。
なお、開閉戸の支点設置部位は、上部、下部、左右部それぞれ考えられる。
【０００７】
【発明の効果】
上記構成の本発明における効果は以下のとおりである。
給油側の屋根を開閉式としたことにより、天板部と庇との間隔は大幅に縮小されたので、タンク上部への直接降雪は、ほぼ解消し、天板上の除雪作業、給油口金凍結、通気管凍結による通油停止、給油時の水分混入に伴う暖房機器トラブル等は、大幅に削減され、さらに油量計の常時計測は可能となり、又給油作業側の戸を開放することにより、給油総量調整時、給油口からの直接目視油量確認は容易となる。
又雨、雪の防御性は、従来の浮屋根式に比し格段に改善するため、天板部位および機器の発錆は大きく抑制される。
【図面の簡単な説明】
【図１】取付基盤となる石油タンクと本発明の開閉式屋根の設置状況を示す外観斜視図である。
【図２】従来の一般的な浮屋根方式石油タンクの設置状態を示す側面図である。
【図３】本発明の石油タンク開閉式三角屋根の設置状態を示す側面図である。
【符号の説明】
１  開閉式三角屋根
２  開閉戸
３  接続固定具
４  石油タンク
５  天板部
６  給油口
浮屋根式石油タンク
【図１】
2004284630.tif 000003
【図２】
2004284630.tif 000004
【図３】
2004284630.tif 000005
(57)【要約】【目的】一般の自動車で運転練習を行う際に、簡単に取り付けて、助手席に座っている指導員が必要に応じて適宜ブレーキ操作を補助的に行わせることができるようにする。【構成】自動車のプレーキペダル部分にロッド状のレバーの先端部分を着脱自在に取り付け、助手席側からそのレバーの把手部分を人手によって押し下げることによって、プレーキペダルを押し込んでブレーキ操作を補助的に行うことができるようにした自動車用補助ブレーキレバー【選択図】      図２
2004284565.tif 000002
【特許請求の範囲】
【請求項１】
自動車のプレーキペダル部分にロッド状のレバーの先端部分を着脱自在に取り付け、助手席側からそのレバーの把手部分を人手によって押し下げることによって、プレーキペダルを押し込んでブレーキ操作を補助的に行うことができるようにした自動車用補助ブレーキレバー。
【請求項２】
レバーの一部に、長さ調整することのできる調整部が設けられていることを特徴とする請求項１の記載による自動車用補助ブレーキレバー。
【発明の詳細な説明】
【０００１】
【産業上の利用分野】
本発明は、自動車のブレーキ操作を補助的に行うことができるようにした自動車用補助ブレーキレバーに関する。
【０００２】
【従来の技術】
従来、自動車運転練習の専用の教習車には、助手席側にもブレーキペダルが設けられており、助手席に座っている指導員が必要に応じてブレーキ操作を補助的に行うことができるようになっているが、一般の自動車では助手席側からブレーキ操作を行わせることができない構造になっている。
【０００３】
近年、自動車運転免許を所持している人が増えるなかで、ペーパードライバーも増加している。
【０００４】
自動車運転免許の取得後に長年にわたり自動車を運転していなかったペーパードライバーがこれから自動車を運転しようとするときに、専用の教習車で運転練習するのではなく、実際に運転しようとする自家用車で運転練習を希望する者がいるのが実状である。
【０００５】
【発明が解決しようとする課題】
解決しようとする問題点は、自動車運転練習の専用の教習車ではなく、一般の自家用車で運転練習をしようとする場合、助手席に座っている指導員が必要に応じてブレーキ操作を補助的に行うことができないことである。
【０００６】
【課題を解決するための手段】
本発明による自動車用補助ブレーキレバーは、自動車運転練習の専用の教習車によることなく、一般の自動車で運転練習を行う際に、助手席に座っている指導員が必要に応じてブレーキ操作を補助的に行うことができるようにするべく、自動車のプレーキペダル部分にレバーの先端部分を着脱自在に取り付け、助手席側からそのレバーを人手によって押し下げることによって、プレーキペダルを押し込んでブレーキ操作を補助的に行うことができるようにしている。
【０００７】
【実施例】
本発明による自動車用補助ブレーキレバーにあっては、図１および図２に示すように、自動車のプレーキペダル２に、ロッド状のレバー１をその先端部分に設けられた装着部１１によって着脱自在に取り付けて、助手席側からそのレバー１の把手部１２を人手によって押し下げることによってプレーキペダル２を押し込んで、ブレーキ操作を補助的に行うことができるようにしている。
【０００８】
そのレバー１は、その先端部分の装着部１１が、図３および図４に示すように、ブレーキペダル２の横方から差し込むようにして取り付けることができるフレーム構造となっており、必要に応じて簡単に装着することができるようになっている。
【０００９】
そして、そのレバー１は、運転者の邪魔にならないように折曲されて、その把手部分１２が立ち上げられて、助手席側からその把手部１２を押し下げることができるようになっている。
【００１０】
また、把手部１２の立ち上げ位置を調整することができるように、レバー１の車両床面に沿う部分の長さを調整することのできる長さ調整部１３が設けられている。その長さ調整部１３としては、例えば、ロッドを引き出してネジ締めする構造のものが用いられる。
【００１１】
このような本発明による自動車用補助ブレーキレバーによれば、一般の自動車によって運転練習を行う際、レバー１を自動車のブレーキペダル２部分に取り付けて、助手席に座っている人がそのレバー１の把手部１２を押し下げることによって、プレーキペダル２を押し込んでブレーキをかけることができるようになる。
【００１２】
その際、レバー１の把手部１２を強く押し下げれば自動車を停止させることができ、また、自動車の走行状態をみながらレバー１の把手部１２を適宜押し下げることによって速度調整を行わせることができるようになる。
【００１３】
【発明の効果】
以上、本発明による自動車用補助ブレーキレバーにあっては、自動車のプレーキペダル部分にレバーの先端部分を着脱自在に取り付け、助手席側からそのレバーを人手によって押し下げることによって、プレーキペダルを押し込んでブレーキ操作を補助的に行うことができるようにしたもので、一般の自動車で運転練習を行う際に、簡単に取り付けて、助手席に座っている指導員が必要に応じて適宜ブレーキ操作を補助的に行わせることができるという利点を有している。
【図面の簡単な説明】
【図１】本発明による自動車用補助ブレーキレバーの斜視図である。
【図２】本発明による自動車用補助ブレーキレバーを自動車のブレーキペダル部分に取り付けた状態を示す図である。
【図３】本発明による自動車用補助ブレーキレバーの先端部分におけるプレーキペダルへの装着部分の構造を示す正面図である。
【図４】本発明による自動車用補助ブレーキレバーの先端部分におけるプレーキペダルへの装着部分の構造を示す側面図である。
【符号の説明】
１  レバー
１１  装着部
１２  把手部
１３  長さ調整部
２  ブレーキペダル
【図１】
2004284565.tif 000003
【図２】
2004284565.tif 000004
【図３】
2004284565.tif 000005
【図４】
2004284565.tif 000006